(57)【特許請求の範囲】
【請求項１】
デスクの天板上面から立設し、側端面から内側に向かって凹んだ凹部が形成された板状のパネル体と、
前記凹部に挿入された連結材と、を備え、
前記凹部には、第１姿勢とした１つの前記連結材がその全体が前記凹部に収容された状態で嵌合可能であるとともに、前記第１姿勢とは異なる第２姿勢とした２つの前記連結材がそれぞれの一部が前記凹部に収容されてそれぞれの他の部分が前記側端面から突出した状態で嵌合可能であることを特徴とするデスクトップパネル。
【請求項２】
複数の前記パネル体がそれぞれの前記側端面を対向させるように隣接して設けられた状態において、隣接する前記パネル体のうちの一方のパネル体の前記凹部に前記第２姿勢で嵌合された２つの前記連結材は、それぞれの前記側端面から突出する部分が他方のパネル体の前記凹部に収容された状態で嵌合可能であることを特徴とする請求項１に記載のデスクトップパネル。
【請求項３】
前記凹部は、前記第１姿勢で、前記連結材により閉塞されることを特徴とする請求項１または２に記載のデスクトップパネル。
【請求項４】
前記凹部は、前記パネル体の上端部近傍に形成されていることを特徴とする請求項１乃至３のいずれか一項に記載のデスクトップパネル。
【請求項５】
前記パネル体の上端部と側端部との角部には、上端部側および側端部側が開放された切欠き部が形成され、
該切欠き部には、側端面に前記凹部が形成されたコーナー材が上方から着脱可能であることを特徴とする請求項１乃至４のいずれか一項に記載のデスクトップパネル。
【請求項６】
請求項１乃至５のいずれか一項に記載のデスクトップパネルと、
該デスクトップパネルのパネル体が立設される天板と、を備えたデスク。
【請求項７】
デスクの天板上面から立設し、側端面から内側に向かって凹んだ凹部が形成された板状のパネル体と、前記凹部に挿入された連結材と、を備える複数のデスクトップパネルが互いの前記側端面を対向させるように隣接して連結されたデスクトップパネルの連結構造であって、
隣り合う前記デスクトップパネルの前記凹部が対向し、
複数の前記連結材のそれぞれ一部が一方のデスクトップパネルの前記凹部に嵌合し、複数の前記連結材のそれぞれの他の部分が他方のデスクトップパネルの前記凹部に嵌合していて、
複数の前記連結材のうちの一部が前記一方のデスクトップパネルの前記凹部に収容可能であるとともに、複数の前記連結材のうちの前記一部以外が前記他方のデスクトップパネルの前記凹部に収容可能であることを特徴とするデスクトップパネルの連結構造。
【発明の詳細な説明】
【技術分野】
【０００１】
本発明は、デスクトップパネル、デスクトップパネルを備えたデスク、およびデスクトップパネルの連結構造に関する。
【背景技術】
【０００２】
従来、オフィスや公共施設などの執務空間で使用されるデスクの天板の上面に立設されるデスクトップパネルが知られている。このようなデスクトップパネルは、デスクを使用する使用者の執務空間を区画することができるため、使用者が執務に集中できる空間を提供することができる。
ところで、デスクトップパネルがそれぞれ取り付けられたデスクを左右に隣接して設置することがある。そして、異なるデスクに取り付けられたデスクトップパネルが隣接すると、これらのデスクトップパネルには、デスクの天板上面への取付状態や、デスクが設置される床面の不陸の有無などによって、位置ズレが生じてしまうことがある。このため、隣接するデスクトップパネルを連結材を用いて正位置で連結し、隣接するデスクトップパネルどうしの位置ズレを解消する技術が知られている（例えば、特許文献１および２参照）。
【先行技術文献】
【特許文献】
【０００３】
【特許文献１】特許第５３３４０３６号公報
【特許文献２】特許第５０６６７２９号公報
【発明の概要】
【発明が解決しようとする課題】
【０００４】
しかしながら、このようなデスクトップパネルは、連結させずに使用する場合には連結材が不要となるため、連結材を不使用時に紛失しないように保管する必要があり、管理に手間がかかる。
【０００５】
そこで、本発明は、隣接するデスクトップパネルどうしの位置ズレを連結材を用いて容易に防止できるとともに、この連結材を不使用時に容易にかつ確実に保管することができるデスクトップパネル、デスク、およびデスクトップパネルの連結構造を提供することを目的とする。
【課題を解決するための手段】
【０００６】
上記目的を達成するため、本発明に係るデスクトップパネルは、デスクの天板上面から立設し、側端面から内側に向かって凹んだ凹部が形成された板状のパネル体と、前記凹部に挿入された連結材と、を備え、前記凹部には、第１姿勢とした１つの前記連結材がその全体が前記凹部に収容された状態で嵌合可能であるとともに、前記第１姿勢とは異なる第２姿勢とした２つの前記連結材がそれぞれの一部が前記凹部に収容されてそれぞれの他の部分が前記側端面から突出した状態で嵌合可能であることを特徴とする。
また、本発明に係るデスクトップパネルは、複数の前記パネル体がそれぞれの前記側端面を対向させるように隣接して設けられた状態において、隣接する前記パネル体のうちの一方のパネル体の前記凹部に前記第２姿勢で嵌合された２つの前記連結材は、それぞれの前記側端面から突出する部分が他方のパネル体の前記凹部に収容された状態で嵌合可能であることが好ましい。
【０００７】
本発明では、複数のデスクトップパネルを互いの側端面を対向させるように隣接させる場合は、２つの連結材を第２姿勢として隣接するパネル体の凹部にそれぞれ挿入させることで、隣接するパネル体どうしの位置ズレを容易に防止できる。なお、２つの連結材は、隣接する一方のデスクトップパネルが有する１つの連結材と、他方のデスクトップパネルが有する１つの連結材とを合わせたものである。
そして、デスクトップパネルを単独で設置する場合は、連結材を第１姿勢として凹部に挿入することで、連結材を凹部内に容易にかつ確実に保管することができる。  
【０００８】
また、本発明に係るデスクトップパネルでは、前記凹部は、前記第１姿勢で、前記連結材により閉塞されることが好ましい。
このような構成により、第１姿勢で使用する際に、凹部が連結材で閉塞されて露出することがなく、外観をより良好なものとすることができる。
【０００９】
また、本発明に係るデスクトップパネルでは、前記凹部は、前記パネル体の上端部近傍に形成されていることが好ましい。
デスクトップパネルはデスクの天板上面から立設していることから、下端部側がデスクに固定されている。このため、デスクトップパネルの下端部側よりも上端部側の方が位置ズレが大きくなる。
そこで、凹部がパネル体の上端部近傍に形成されて、この凹部に連結材が挿入されることにより、隣り合うパネル体の上端部側を連結することができ、位置ズレを効率的に防止することができる。
【００１０】
また、本発明に係るデスクトップパネルでは、前記パネル体の上端部と側端部との角部には、上端部側および側端部側が開放された切欠き部が形成され、該切欠き部には、側端面に前記凹部が形成されたコーナー材が上方から着脱可能である構成としてもよい。
このような構成とすることにより、デスクトップパネルを隣接させる場合に、隣接するデスクトップパネルのそれぞれのコーナー材をパネル体から外し、これらの２つのコーナー材のそれぞれの凹部に２つの第２姿勢の連結材をそれぞれ挿入し、これらの２つのコーナー材を上方から同時に切欠き部に挿入することで、隣り合うパネル体に連結材を容易に装着することができる。
また、連結材を取り外すときには、２つのコーナー材を連結材とともに上方に引き抜くことで容易に取り外すことができる。
【００１１】
また、本発明に係るデスクでは、上記のデスクトップパネルと、該デスクトップパネルのパネル体が立設される天板と、を備えることを特徴とする。
このようなデスクでは、隣接するデスクとの間で、互いのデスクトップパネル同士の位置ずれを防止することができる。
【００１２】
また、本発明に係る２５デスクトップパネルの連結構造では、デスクの天板上面から立設し、側端面から内側に向かって凹んだ凹部が形成された板状のパネル体と、前記凹部に挿入された連結材と、を備える複数のデスクトップパネルが互いの前記側端面を対向させるように隣接して連結されたデスクトップパネルの連結構造であって、隣り合う前記デスクトップパネルの前記凹部が対向し、複数の前記連結材のそれぞれ一部が一方のデスクトップパネルの前記凹部に嵌合し、複数の前記連結材のそれぞれの他の部分が他方のデスクトップパネルの前記凹部に嵌合していて、複数の前記連結材のうちの一部が前記一方のデスクトップパネルの前記凹部に収容可能であるとともに、複数の前記連結材のうちの前記一部以外が前記他方のデスクトップパネルの前記凹部に収容可能であることを特徴とする。
【００１３】
本発明では、隣接するデスクトップパネルの一方のデスクトップパネルの凹部に複数の連結材のそれぞれの一部が挿入され、他方のデスクトップパネルの凹部に複数の連結材のそれぞれの一部以外が挿入されることにより、隣接するパネル体どうしの位置ズレを容易に防止できる。
そして、複数の連結材のうちの一部が一方のデスクトップパネルの凹部に収容可能であるとともに、複数の連結材のうちの一部以外が他方のデスクトップパネルの凹部に収容可能であることにより、デスクトップパネルの連結を解消した場合にも、連結材を凹部内に容易にかつ確実に保管することができる。
【発明の効果】
【００１４】
本発明によれば、隣接するデスクトップパネルどうしの位置ズレを連結材を用いて容易に防止できるとともに、この連結材を不使用時に容易にかつ確実に保管することができる
【図面の簡単な説明】
【００１５】
【図１】本発明の実施形態によるデスクおよびデスクトップパネルの一例を示す図である。
【図２】（ａ）はデスクトップパネルの横方向の端部近傍の正面図、（ｂ）は（ａ）のＡ−Ａ線断面図、（ｃ）は（ａ）のＢ方向矢視図、（ｄ）は（ａ）の上面図である。
【図３】（ａ）はコーナー材をパネル本体側から見た側面図、（ｂ）はコーナー材をパネル本体側と反対側から見た側面図、（ｃ）はコーナー材の前面図、（ｄ）はコーナー材の上面図である。
【図４】（ａ）は連結材を奥行き方向から見た図、（ｂ）は連結材を高さ方向から見た図、（ｃ）は連結材を幅方向から見た図である。
【図５】（ａ）は第１姿勢の連結材が第１貫通部に挿入された様子を示す図で（ｂ）のＣ−Ｃ線断面図に対応する図、（ｂ）は第１姿勢の連結材が第１貫通部に挿入された様子を示す図で（ａ）のＤ−Ｄ線断面図に対応する図である。
【図６】（ａ）は第２姿勢の連結材が第１貫通部に挿入された様子を示す図で（ｂ）のＥ−Ｅ線断面図に対応する図、（ｂ）は第２１姿勢の連結材が第１貫通部に挿入された様子を示す図で（ａ）のＦ−Ｆ線断面図に対応する図である。
【図７】（ａ）は２つの第２姿勢の連結材が第１貫通部に挿入された様子を示す図で（ｂ）のＧ−Ｇ線断面図に対応する図、（ｂ）は２つの第２姿勢の連結材が第１貫通部に挿入された様子を示す図で（ａ）のＨ−Ｈ線断面図に対応する図である。
【図８】（ａ）は本実施形態の変形例による凹部および連結具を説明する図で、第１姿勢の連結材が凹部に挿入された様子を示す図、（ｂ）は２つの第２姿勢の連結材が凹部に挿入された様子を示す図である。
【発明を実施するための形態】
【００１６】
以下、本発明の実施形態によるデスクトップパネルおよびデスクトップパネルの連結構造について、図１乃至図７に基づいて説明する。
図１に示すように、本実施形態によるデスクトップパネル１は、デスク２の天板２１の上面に立設している。
なお、以下の説明において、上、下、前、後、横は、いずれのデスク２を床面などの設置面に設置している状態での向きを示している。すなわち、「下」は、設置面側の向きを示し、「上」は、設置面と反対側の向きを示している。また、「前」は、デスク２を使用するユーザ側の向きを示し、「後ろ」は、デスク２を基準にして、このデスク２を使用するユーザ側と反対側の向きを示す。また、「横」は、上下の方向及び前後の方向に対して垂直な方向を示す。
【００１７】
デスク２は、天板２１と天板２１を支える支持脚２２とを有する公知の構造のもので、本実施形態では、横方向の両端部に配置された一対の支持脚２２，２２の上部に天板２１が載置されている。また、本実施形態のデスク２には、天板２１の後側であって一対の支持脚２２，２２の間に配置された幕板２３や、配線を収容する配線収容部２４などが設けられている。
【００１８】
デスクトップパネル１は、デスク２の天板２１の上面の後端部全体に沿って立設するようにデスク２に固定されている。
デスクトップパネル１は、板面が前後方向を向く矩形板状のパネル本体３と、横方向に延在しパネル本体３の上端面を覆う上フレーム材４と、横方向に延在しパネル本体３の下端面を覆う下フレーム材５と、上下方向に延在しパネル本体３の両側端面をそれぞれ覆う一対の横フレーム材６，６と、上フレーム材４の横方向の端部および横フレーム材６の上端部を覆うコーナー材７，７と、コーナー材７、７に形成された貫通孔（凹部）７３に挿入可能な連結材８，８と、有している。
なお、横フレーム材６，６、コーナー材７，７および連結材８，８は、デスクトップパネル１の横方向の両端部にそれぞれ設けられているが、前側から見た右側の横フレーム材６、コーナー材７および連結材８について説明し、左側の横フレーム材６、コーナー材７および連結材８は右側の横フレーム材６、コーナー材７および連結材８と左右対称に形成されているものとする。
【００１９】
図２に示すように、パネル本体３は、それぞれ矩形板状に形成され互いに対向している一対の板部３１，３１と、一対の板部３１，３１の間に配置され、一対の板部３１，３１の間隔を所定の値に保持する間隔保持材３２と、を有している。
【００２０】
上フレーム材４は、パネル本体３の上端面を覆う本体部４１と、本体部４１に形成された上方に開放されて横方向に延びる上溝部４２にはめ込まれたカバー材４３と、を有している。
本体部４１は、横方向の寸法がパネル本体３の横方向の寸法よりもやや小さく、前後方向の寸法がパネル本体３の前後方向の寸法よりもやや大きくなるように形成されている。
本体部４１には下方に開放されて横方向に延びる下溝部４４が形成されていて、この下溝部４４にパネル本体３の上端部が嵌めこまれている。本体部４１は、下溝部４４にパネル本体３の上端部が嵌めこまれるとともに、ビスなどの固定具でパネル本体３の上端面に固定されることでパネル本体３に固定されている。
また、本体部４１は、横方向の寸法がパネル本体３の横方向の寸法よりもやや小さく形成されているため、下溝部４４にパネル本体３の上端部が嵌めこまれると、パネル本体３の上端面の横方向の端部近傍が露出している。
【００２１】
カバー材４３は、板面が上下方向を向き、横方向の寸法が本体部４１の寸法と略同じで、前後方向の寸法が本体部４１の前後方向の寸法よりもやや小さい板状に形成されている。本体部４１には、上溝部４２の前側および後側の上端部にそれぞれ近づく側に延びる爪部が形成されている。そして、上溝部４２にカバー材４３をはめ込むときには、本体部４１の上端部をそれぞれの爪部が離間するように弾性変形させてから、爪部の間からカバー材を上溝部４２の内部に挿入させる。カバー材４３は、本体部４１の上溝部４２にはめ込まれると、下面が上溝部４２の底部と離間するとともに、上溝部４２の内部が露出しないように構成されている。
【００２２】
下フレーム材５は、パネル本体３の下端面を覆う本体部５１と、本体部５１に形成された下方に開放されて横方向に延びる下溝部５２にはめ込まれたカバー材５３と、を有している。
本体部５１は、横方向の寸法がパネル本体３の横方向の寸法よりもやや小さく、前後方向の寸法がパネル本体３の前後方向の寸法よりもやや大きくなるように形成されている。
本体部５１には上方に開放されて横方向に延びる上溝部５４が形成されていて、この上溝部５４にパネル本体３の下端部が嵌めこまれている。本体部５１は、上溝部５４にパネル本体３の下端部が嵌めこまれるとともに、ビスなどの固定具でパネル本体３の下端面に固定されることでパネル本体３に固定されている。
また、本体部５１は、横方向の寸法がパネル本体３の横方向の寸法よりもやや小さく形成されているため、上溝部５４にパネル本体３の下端部が嵌めこまれると、パネル本体３の下端面の横方向の端部近傍が露出している。
【００２３】
カバー材５３は、板面が上下方向を向き、横方向の寸法が本体部５１の寸法と略同じで、前後方向の寸法が本体部５１の前後方向の寸法よりもやや小さい板状に形成されている。本体部５１には、下溝部５２の前側および後側の下端部にそれぞれ近づく側に延びる爪部が形成されている。そして、下溝部５２にカバー材４３をはめ込むときには、本体部５１の下端部をそれぞれの爪部が離間するように弾性変形させてから、爪部の間からカバー材５３を下溝部５２の内部に挿入させる。カバー材５３は本体部５１の下溝部５２にはめ込まれると、上面が下溝部５２の底部と離間するとともに、本体部５１の下溝部５２の内部が露出しないように構成されている。
また、本実施形態では、パネル本体３の下端部は、デスク２の天板２１（図１参照）よりも間隔をあけた上方に配置されている。そして、下フレーム材５のカバー材５３には、下面の前後方向の略中央部から下方に垂下する垂下板５５が連結されている。垂下板５５の下端部はデスク２の天板２１の上面よりもやや上方に配置されている。
【００２４】
横フレーム材６，６は、パネル本体３の横方向の側端面を覆う本体部６１と、本体部６１に形成されたパネル本体３と対向する側と反対側に開放されて上下方向に延びる第１溝部６２にはめ込まれたカバー材６３と、それぞれを有している。
本体部６１は、上下方向の寸法がパネル本体３の上下方向の寸法よりもやや小さく、前後方向の寸法がパネル本体３の前後方向の寸法よりもやや大きくなるように形成されている。
本体部６１にはパネル本体３と対向する側に開放されて上下方向に延びる第２溝部６４が形成されていて、この第２溝部６４にパネル本体３の横方向の側端部が嵌めこまれている。本体部６１は、第２溝部６４にパネル本体３の側端部が嵌めこまれるとともに、ビスなどの固定具でパネル本体３の側端面に固定されることでパネル本体３に固定されている。
また、本体部６１は、上下方向の寸法がパネル本体３の上下方向の寸法よりもやや小さく形成されているため、第２溝部６４にパネル本体３の側端部が嵌めこまれると、パネル本体３の側端面の上端部近傍および下端部近傍が露出している。
【００２５】
カバー材６３は、板面が横方向を向き、上下方向の寸法が本体部６１の寸法と略同じで、前後方向の寸法が本体部６１の前後方向の寸法よりもやや小さい板状に形成されている。本体部６１には、第１溝部６２の前側および後側のパネル本体３と離間する側の端部にそれぞれ近づく側に延びる爪部が形成されている。そして、第１溝部６２にカバー材６３をはめ込むときには、本体部６１のパネル本体３と離間する側の端部をそれぞれの爪部が離間するように弾性変形させてから、爪部の間からカバー材を第１溝部６２の内部に挿入させる。カバー材６３は本体部６１の第１溝部６２にはめ込まれると、パネル本体３側の面が第１溝部６２の底部と離間するとともに、本体部６１の第１溝部６２の内部が露出しないように構成されている。
また、本実施形態では、パネル本体３をデスク２に連結する連結金具２５が、横フレーム材６の本体部６１を介してパネル本体３の側端面の下部側に取り付けられていて、この連結金具２５は、本体部６１の第１溝部６２の内部に配置され、カバー材６３によって露出しないように構成されている。
【００２６】
図３に示すように、コーナー材７は、上フレーム材４の横方向の側部および横フレーム材６の上部に配置される本体部７１と、本体部７１の下側に本体部７１と一体に形成され横フレーム材６の本体部６１の第１溝部６２に上方から挿入される挿入片７２と、を備えている。
なお、本実施形態では、パネル本体３、上フレーム材４、下フレーム材５、横フレーム材６，６が本発明のパネル体に相当するものとし、上フレーム材４の横方向の側部および横フレーム材６の上部のコーナー材７の本体部７１が配置される部分は、本発明のパネル体の切欠き部に相当するものとする。
【００２７】
本体部７１は、外形が略長方形状に形成されている。そして、上フレーム材４の横方向の側部および横フレーム材６（図２参照）の上部に配置されると、上端面７１ａが上フレーム材４の上端面と略面一となるように配置され、下端面７１ｂが横フレーム材６の上端部と当接するとともに上フレーム材４の下端部と略同じ高さに配置され、横方向の一方側の端面７１ｃが横フレーム材６のパネル本体３と離間する側の端面と略面一となるように配置され、横方向の他方側の端面７１ｄが上フレーム材４の側端部と当接するとともに横フレーム材６のパネル本体３側の端部と横方向に略同じ位置に配置されている。また、本体部７１は、前面７１ｅが上フレーム材４の本体部４１および横フレーム材６の本体部６１の前面と略面一となるように配置され、後面７１ｆが上フレーム材４の本体部４１および横フレーム材６の本体部６１の後面と略面一となるように配置されている。
【００２８】
本体部７１には、本体部７１を横方向に貫通する貫通孔７３が形成されている。なお、この貫通孔７３は、上フレーム材４の横方向の端面で塞がれているものとし、デスクトップパネル１全体から見ると横方向に貫通しない凹部に相当するものとする。
貫通孔７３は、横方向のパネル本体３と離間する側（横方向一方側）と横方向のパネル本体３側（横方向他方側）が横方向から見て異なる形状に形成されている。
ここで、貫通孔７３のうち、横方向一方側を第１貫通部７４とし、横方向他方側を第２貫通部７５とする。第１貫通部７４と、第２貫通部７５とは、内部が連通している。
【００２９】
第１貫通部７４は、横方向から見て略長方形状に形成されている。第１貫通部７４の内周面は、略水平面となる上面７４ａおよび下面７４ｂと、上面７４ａおよび下面７４ｂの前後方向の端部と連続し略鉛直面となる前面７４ｃおよび後面７４ｄと、を有している。
【００３０】
第２貫通部７５は、横方向から見て略長方形状に形成されている。第２貫通部７５の内周面は、略水平面となる上面７５ａおよび下面７５ｂと、上面７５ａおよび下面７５ｂの前後方向の端部と連続し略鉛直面となる前面７５ｃおよび後面７５ｄと、を有している。
第１貫通部７４の上面７４ａと第２貫通部７５の上面７５ａとは、略面一となるように配置され、第１貫通部７４の前面７４ｃと第２貫通部７５の前面７５ｃとは、略面一となるように配置され、第１貫通部７４の後面７４ｄと第２貫通部７５の後面７５ｄとは、略面一となるように配置されている。
第１貫通部７４の下面７４ｂは、第２貫通部７５の下面７５ｂよりも下方に配置されている。これにより、貫通孔７３の下面には、段差が形成され、第１貫通部７４の下面７４ｂの第２貫通部７５側の縁部と、第２貫通部７５の下面７５ｂの第１貫通部７４側の縁部とを連続する鉛直面７６が形成されている。この鉛直面７６は、貫通孔７３の横方向の中央部に配置されている。
【００３１】
また、本体部７１には、横方向他方側の下端部にパネル本体３の角部が配置される切欠き部７７が形成されている。
挿入片７２は、上下方向に延びる部材で、水平断面形状が横方向一方側に開口する略Ｃ字状に形成されている。この挿入片７２は、横フレーム材６の本体部６１の第１溝部６２の内部に上方から挿入され、横フレーム６に係止されるように構成されている。
【００３２】
図４に示すように、連結材８は、それぞれ直方体の一面が開口した箱状に形成され、底板部８１と、底板部８１から底板部８１の一方の面側に延びる側板部８２と、を有している。ここで、底板部８１の板面に直交する方向を高さ方向とし、高さ方向に直交する一の方向を幅方向とし、高さ方向および幅方向に直交する方向を奥行き方向とする。底板部８１の外縁部は、幅方向および奥行き方向に延在している。
また、側板部８２の底板部８１と離間する側の高さ方向の端部を第１端部８２ａとする。
【００３３】
連結材８は、高さ方向の寸法ｈがコーナー材７の本体部７１の第１貫通部７４の横方向の寸法Ｌ１（図３参照）と略同じ寸法に形成され、幅方向の寸法ｗが第１貫通部７４の前後方向の寸法Ｌ２（図３参照）と略同じ寸法に形成され、奥行き方向の寸法ｄが第１貫通部７４の上下方向の寸法Ｌ３（図３参照）と略同じ寸法に形成されている。
また、連結材８の幅方向の寸法ｗは、高さ方向の寸法ｈの略２倍の寸法に形成されている。
【００３４】
このため、図５に示すように、連結材８は、その高さ方向が横方向となり、幅方向が前後方向となる第１姿勢で第１貫通部７４に挿入されると、側板部８２の第１端部８２ａの第１姿勢における下部側が貫通孔７３の鉛直面７６と当接または僅かな隙間をあけて近接し、底板部８１の外面８１ａがコーナー材７の本体部７１の横方向一方側の端面７１ｃと略面一となるように配置される。これにより、連結材８は、第１貫通部７４に嵌め込まれた状態となる。
【００３５】
また、図６に示すように、連結材８は、その高さ方向が前後方向となり、幅方向が横方向となる第２姿勢で第１貫通部７４に挿入され、側板部８２の第２姿勢におけるパネル本体３側の面の下部側が貫通孔７３の鉛直面７６と当接または僅かな隙間をあけて近接し、底板部８１の外面が第１貫通部７４の前面７４ｃと当接または僅かな隙間をあけて近接すると、幅方向の略１／２が第１貫通部７４に挿入され、幅方向の残りの略１／２がコーナー材７の本体部７１の横方向一方側の端面７１ｃから突出している。
【００３６】
また、第１貫通部７４の内部では、前後方向の前側略１／２には連結材８が配置され、後側略１／２には空部が形成されている。この空部には、第２姿勢となった他の連結材８Ａの幅方向の１／２を挿入することができる。
そして、図７に示すように、第２姿勢の２つの連結材８，８Ａのそれぞれの幅方向の１／２を第１貫通部７４に挿入し、幅方向の残りの１／２をコーナー材７の本体部７１の横方向一方側の端面７１ｃから突出させた状態とすると、２つの連結材８，８Ａのうち横方向一方側の端面７１ｃから突出した部分が他のデスクトップパネル１Ａのコーナー材７Ａの第１貫通部７４に挿入させることができる。
このため、横方向にデスク２が隣接され、それぞれのデスクトップパネル１，１Ａが側端面を対向させるように隣接した時に、それぞれのデスクトップパネル１，１Ａのコーナー材７，７Ａの第１貫通部７４に第２姿勢の２つの連結材８，８Ａをそれぞれ挿入させることができる。なお、隣接するデスクトップパネル１，１Ａのコーナー材７，７Ａは、左右対称に形成されているものとする。
【００３７】
次に、上述したデスクトップパネル１およびデスクトップパネル１の連結構造の作用・効果について図面を用いて説明する。
【００３８】
上述した本実施形態によるデスクトップパネル１では、複数のデスクトップパネル１を互いの側端面を対向させるように隣接させる場合は、２つの連結材８，８Ａを第２姿勢として隣接するコーナー材７の第１貫通部７４にそれぞれ挿入させることで、隣接するデスクトップパネル１どうしの前後方向の位置ズレを容易に防止できる。
そして、デスクトップパネル１を単独で設置する場合は、連結材８，８Ａを第１姿勢として第１貫通部７４に挿入することで、連結材８，８Ａを第１貫通部７４内に容易にかつ確実に保管することができる。  
【００３９】
また、デスクトップパネル１はデスク２の天板２１上面に立設していることから、下端部側がデスク２に固定されている。このため、デスクトップパネル１の下端部側よりも上端部側の方が前後方向の位置ズレが大きくなる。
そこで、デスクトップパネル１の上端部近傍に形成された第１貫通部７４に２つの連結材８，８Ａが挿入されることにより、隣り合うパネル本体３の上端部側を連結することができ、前後方向の位置ズレを効率的に防止することができる。
【００４０】
また、コーナー材７は横フレーム材６に上方から着脱可能であることにより、デスクトップパネル１を隣接させる場合に、隣接するデスクトップパネル１のそれぞれのコーナー材７を横フレーム材６から外し、これらの２つのコーナー材７のそれぞれの第１貫通部７４に２つの第２姿勢の連結材８，８Ａをそれぞれ挿入し、これらの２つのコーナー材７，７を上方から同時に横フレーム材６の第１溝部６２に挿入することで、隣り合うデスクトップパネル１に連結材８，８Ａを容易に装着することができる。
また、連結材８，８Ａを取り外すときには、２つのコーナー材７，７を連結材８，８Ａとともに上方に引き抜くことで容易に取り外すことができる。
また、本実施形態では、第１貫通部７４が上記のようなコーナー材７に横方向に貫通するように形成されているため、コーナー材７を連結材８とともにパネル本体３から外し、第２貫通部７５側から連結材８を押し出すことで、連結材８をコーナー材７から容易に取り外すことができる。
【００４１】
以上、本発明によるデスクトップパネルおよびデスクトップパネルの連結構造の実施形態について説明したが、本発明は上記の実施形態に限定されるものではなく、その趣旨を逸脱しない範囲で適宜変更可能である。
例えば、上記の実施形態では、連結材８が挿入される第１貫通部７４がコーナー材７に形成されているが、横フレーム材６に形成されていてもよい。また、パネル本体３に横フレーム材６が設けられていない場合は、パネル本体３に第１貫通部７４が形成されていてもよい。
また、上記の実施形態では、第１貫通部７４がデスクトップパネル１の上端部近傍に形成されているが、第１貫通部７４が形成される高さはデスクトップパネル１の高さ方向の下部側や中央部など適宜設定されてよい。
また、本実施形態では、コーナー材７の挿入片７２は、横フレーム材６の本体部６１の第１溝部６２に上方から挿入されて横フレーム材６に係止されるように構成されているが、上フレーム４の本体部４１の上溝部４２に横方向から挿入されて上フレーム材４に係止されるように構成されていてもよい。
【００４２】
また、上記の実施形態では、連結材８が挿入される第１貫通部７４は、横方向に貫通する構成であるが、横方向一方側に開口する凹部に連結材８が挿入される構成であってもよい。この場合、凹部には、１つの第１姿勢の連結材８全体が収容可能で、２つの第２姿勢の連結材８の一部を収容可能となるように形成される。
【００４３】
また、連結材８や連結材８が挿入される第１貫通部７４や凹部の形状は、本実施形態以外の形状であってもよい。たとえば、図８に示すように、連結材８が凹部９に挿入される形態で、図８（ａ）に示す第１姿勢で挿入された際の連結材８の横方向他方側の面８ａが当接または僅かな隙間をあけて近接する面９１と、第２姿勢で挿入された際の連結材８の横方向他方側の面８ｂが当接または僅かな隙間をあけて近接する面９２が異なるように形成されていてもよい。
また、第２姿勢の連結材８は、一方のデスクトップパネル１の第１貫通部７４や凹部に挿入される部分と、他方のデスクトップパネル１Ａの第１貫通部７４や凹部に挿入される部分とが１／２ずつの等分とならなくてもよい。
また、第１姿勢の連結材８が挿入される第１貫通部７４や凹部と第２姿勢の連結材８が挿入される第１貫通部７４や凹部とが、デスクトップパネルの同一の側端面の異なる位置に形成されていてもよい。
【符号の説明】
【００４４】
１  デスクトップパネル
２  デスク
３  パネル本体
７  コーナー材
８  連結材
２１  天板
７４  第１貫通部（凹部）
【図１】
0006501387.tif 000002
【図２】
0006501387.tif 000003
【図３】
0006501387.tif 000004
【図４】
0006501387.tif 000005
【図５】
0006501387.tif 000006
【図６】
0006501387.tif 000007
【図７】
0006501387.tif 000008
【図８】
0006501387.tif 000009